(57)【要約】【課題】蓋体の開閉をワンタッチで行うことのできる包装箱を提供する。【解決手段】箱本体１の後壁５の上端に蓋体２を開閉自在に連設し、箱本体１の前壁３の上端から延びるロック片１７を手前に折り返し、蓋体２の前壁１０の裏面に係止片１２を貼り付け、蓋体２を箱本体１に被せるように閉じたとき、ロック片１７が反発力により係止片１２に係合し、蓋体２が閉止状態に保持される包装箱において、箱本体１の側壁４と蓋体２の天壁９とを折込片１３を介して連結し、この折込片１３を後部の角から斜めに延びる谷折線１４沿いに折り込んで蓋体２を閉じ、蓋体２の前壁１０から下方にロック片１７を露出させる。ロック片１７の露出部分を押圧するだけで、ロック片１７と係止片１２の係合によるロックが解除され、折込片１３の復元力により蓋体２が反発して跳ね上がる。【選択図】図４
2006232332.tif 000002
【特許請求の範囲】
【請求項１】
箱本体の後壁上端に蓋体を開閉自在に連設し、箱本体の前壁上端から延びるロック片を手前に折り返し、蓋体の前壁の裏面に係止片を貼り付け、蓋体を箱本体に被せるように閉じたとき、ロック片が反発力により係止片に係合し、蓋体が閉止状態に保持される包装箱において、箱本体の側壁と蓋体の天壁とを折込片を介して連結し、この折込片を後部の角から斜めに延びる谷折線沿いに折り込んで蓋体を閉じ、蓋体の前壁から下方にロック片を露出させたことを特徴とする包装箱。
【発明の詳細な説明】
【技術分野】
【０００１】
この発明は、菓子箱等として使用されるワンタッチで開閉可能な包装箱に関するものである。
【背景技術】
【０００２】
従来、図５に示すように、箱本体５１と開閉自在の蓋体５２とから成り、箱本体５１の周壁を、前壁５３、一対の側壁５４及び後壁５５から形成し、蓋体５２を、箱本体５１の後壁５５の上端に繋がる天壁５６に前壁５７及び一対の側壁５８を連設し、前壁５７の裏面に側壁５８から延びる係止片５９を貼り付けて形成した包装箱が知られている。
【０００３】
この包装箱では、箱本体５１の前壁５３の上端に連設したロック片６０を手前に折り返して、蓋体５２を箱本体５１に被せるように閉じたとき、ロック片６０の折り曲げが戻ろうとする反発力により、ロック片６０の先端縁が係止片５９の切欠部の端縁に係合して、蓋体５２が閉止状態に保持されるようになっている（特許文献１参照）。
【０００４】
【特許文献１】実開昭６０−４７２１３号公報
【発明の開示】
【発明が解決しようとする課題】
【０００５】
しかしながら、上記のような包装箱では、蓋体５２を開く際、蓋体５２のロックを解除するため、蓋体５２の前壁５７を手前に引き出すか、又は、箱本体５１の前壁５３を押し込んで大きく撓ませなければならず、蓋体５２を開くのが難しいという問題がある。
【０００６】
そこで、この発明は、蓋体の開閉をワンタッチで行うことのできる包装箱を提供することを課題とする。
【課題を解決するための手段】
【０００７】
上記課題を解決するため、この発明は、箱本体の後壁上端に蓋体を開閉自在に連設し、箱本体の前壁上端から延びるロック片を手前に折り返し、蓋体の前壁の裏面に係止片を貼り付け、蓋体を箱本体に被せるように閉じたとき、ロック片が反発力により係止片に係合し、蓋体が閉止状態に保持される包装箱において、箱本体の側壁と蓋体の天壁とを折込片を介して連結し、この折込片を後部の角から斜めに延びる谷折線沿いに折り込んで蓋体を閉じ、蓋体の前壁から下方にロック片を露出させたのである。
【発明の効果】
【０００８】
この包装箱では、蓋体を容易に閉じてロックできるだけでなく、ロック片の露出部分を押圧するだけで、ロック片と係止片の係合によるロックが解除され、折込片の復元力により蓋体が反発して跳ね上がるので、蓋体を極めて容易に開くことができ、また、蓋体の開け方を容易に認識することができる。
【発明を実施するための最良の形態】
【０００９】
以下、この発明の実施形態を添付図面に基づいて説明する。
【００１０】
この包装箱の板紙製ブランクは、図１に示すように、箱本体１の部分と、蓋体２の部分とから構成されている。箱本体１の部分では、前壁３の一側に側壁４、後壁５及び側壁４が順次連設され、前壁３の他側に継代片６が連設されている。各側壁４の下端には底片７が連設され、前壁３及び後壁５の下端には底板８が連設されている。
【００１１】
後壁５の上端には、蓋体２の天壁９及び前壁１０が順次連設され、天壁９の両側には側壁１１が連設されている。側壁１１には前壁１０の側方へ延びる係止片１２が連設され、側壁４の上端と天壁９の両側基部とは折込片１３を介して連結されている。折込片１３には後壁５側の角から斜めに延びる谷折線１４が形成されている。
【００１２】
天壁９の中間部には、両側間に亘る弧状の蓋折線１５が入れられ、前壁１０の先端縁には切欠部１６が設けられている。また、箱本体１の前壁３の上端にはロック片１７が連設され、その先端中央部は両肩部から突出している。
【００１３】
上記のようなブランクを組み立てて菓子等の商品を包装するには、図２に示すように、箱本体１の部分において、前壁３、一対の側壁４及び後壁５を角筒状をなすように折り曲げ、継代片６を反対側の側壁４の内面に貼り付けて周壁を形成し、底片７を内側へ折り曲げ、底板８同士を貼り合わせて底面を閉止する。
【００１４】
次に、蓋体２の部分において、天壁９から前壁１０及び一対の側壁１１を直角に折り曲げ、係止片１２を前壁１０の裏面に貼り付ける。
【００１５】
そして、蓋体２を開いた状態で菓子等の内容物を箱本体１に収納した後、図３（ａ）乃至（ｃ）に示すように、折込片１３を谷折線１４沿いに折り込んで、蓋体２を箱本体１に被せるように閉じると、図２及び図３（ｃ）に示すように、ロック片１７の両肩部が係止片１２の切欠部の端縁に係合し、蓋体２がロックされて閉止状態に保持される。
【００１６】
一方、この包装箱を開封する際には、蓋体２の切欠部１６から露出したロック片１７の突出部を押圧すると、ロック片１７と係止片１２の係合によるロックが解除され、図４に示すように、折込片１３の復元力により蓋体２が反発して跳ね上がるので、蓋体２を極めて容易に開くことができ、また蓋体２の開け方を容易に認識することができる。
【００１７】
なお、このとき、図３（ａ）及び図４に示すように、蓋体２の天壁９を蓋折線１５に沿って反らせるように屈曲させると、箱本体１の開口部が拡大されるので、箱本体１から内容物を振り出すようにして容易に取り出すことができる。
【００１８】
ところで、上記実施形態では、蓋体２の前壁１０に切欠部１６を設け、この切欠部１６からロック片１７を露出させることとしたが、切欠部１６を省略し、ロック片１７の突出部をさらに延長して、前壁１０の下方に露出させるようにしてもよい。
【図面の簡単な説明】
【００１９】
【図１】この発明の実施形態に係る包装箱のブランクを示す図
【図２】同上の包装箱の封緘状態を示す斜視図
【図３】同上の封緘過程を示す上部縦断側面図
【図４】同上の開封状態を示す斜視図
【図５】従来の包装箱の開封状態を示す斜視図
【符号の説明】
【００２０】
１  箱本体
２  蓋体
３  前壁
４  側壁
５  後壁
６  継代片
７  底片
８  底板
９  天壁
１０  前壁
１１  側壁
１２  係止片
１３  折込片
１４  谷折線
１５  蓋折線
１６  切欠部
１７  ロック片
【図１】
2006232332.tif 000003
【図２】
2006232332.tif 000004
【図３】
2006232332.tif 000005
【図４】
2006232332.tif 000006
【図５】
2006232332.tif 000007